(57)【要約】【課題】複数のＳＩＭを用いて、端末のバッテリの消費電力を抑制し、通信設備装置の省エネモードを実現する端末及びその通信設備装置を提供する。【解決手段】複数のＳＩＭを搭載した端末において、ＳＩＭ毎に、異なる間欠受信間隔が設定される。通常モード用ＳＩＭと、省エネモード用ＳＩＭとを搭載しており、各ＳＩＭに記述された加入者識別番号（ＩＭＳＩ）は、異なるものである。通常モード用ＳＩＭにおける間欠受信間隔は、ＤＲＸ(extended Discontinuous Reception)に基づく規格値であり、省エネモード用ＳＩＭにおける間欠受信間隔は、ｅＤＲＸ(extended DRX)に基づく規格値である。ユーザによって選択操作された際、又は、所定条件に応じて自動的に省エネ動作を実行すべき際、省エネモード用ＳＩＭを用いて通信設備装置に接続する。【選択図】図１
2020102781.tif 000002
【特許請求の範囲】
【請求項１】
複数のＳＩＭ(Subscriber Identity Module)を搭載した端末において、
前記ＳＩＭ毎に、異なる間欠受信間隔が設定される
ことを特徴とする端末。
【請求項２】
通常モード用ＳＩＭと、省エネモード用ＳＩＭとを搭載しており、
各ＳＩＭに記述された加入者識別番号（ＩＭＳＩ(International Mobile Subscriber Identity)）は、異なるものであり、
通常モード用ＳＩＭにおける間欠受信間隔は、ＤＲＸ(extended Discontinuous Reception)に基づく規格値であり、
省エネモード用ＳＩＭにおける間欠受信間隔は、ｅＤＲＸ(extended DRX)に基づく規格値である
ことを特徴とする請求項１に記載の端末。
【請求項３】
ユーザによって選択操作された際、又は、所定条件に応じて自動的に省エネ動作を実行すべき際、省エネモード用ＳＩＭを用いて通信設備装置に接続する
ことを特徴とする請求項２に記載の端末。
【請求項４】
同一端末に搭載される通常モード用ＳＩＭの加入者識別番号と、省エネモード用ＳＩＭの加入者識別番号とは、同一ユーザの契約下で、予め紐付けられたものであり、
一方のＳＩＭが通信設備装置に接続した際に、他方のＳＩＭが通信設備装置から切断されるように排他的に制御される
ことを特徴とする請求項３に記載の端末。
【請求項５】
請求項１から４のいずれか１項に記載の前記端末と通信する通信設備装置において、
前記端末から、各ＳＩＭに基づく加入者識別番号を含むパケット接続要求を受信した際に、当該加入者識別番号に応じて登録された間欠受信間隔を含むパケット接続応答を、前記端末へ返信する
ことを特徴とする通信設備装置。
【請求項６】
前記通信設備装置は、コアネットワーク装置と、認証データベースとを有し、
前記認証データベースは、前記加入者識別番号毎に、通常モード又は省エネモードを登録しており、
前記コアネットワーク装置は、前記端末から前記パケット接続要求を受信した際に、当該加入者識別番号を含む認証要求を、前記認証データベースへ送信し、
前記認証データベースは、当該加入者識別番号に応じて登録された間欠受信間隔を含む認証応答を、前記コアネットワーク装置へ返信し、
前記コアネットワーク装置は、前記認証応答に基づく間欠受信間隔を含むパケット接続応答を、前記端末へ返信すると共に、当該端末との間で当該間欠受信間隔に基づいて動作する
ことを特徴とする請求項５に記載の通信設備装置。
【請求項７】
前記通信設備装置は更に、ＣＳＣＦ(Call Session Control Function)を有し、
前記ＣＳＣＦが、前記端末に基づくＶｏＬＴＥ(Voice over Long Term Evolution)接続要求を受信した際に、認証要求を前記認証データベースへ送信し、
前記認証データベースが、前記加入者識別番号及びモードを含む認証応答を、前記ＣＳＣＦへ返信し、
前記ＣＳＣＦは、当該端末について当該モードに応じた間欠受信間隔に基づいて動作する
ことを特徴とする請求項６に記載の通信設備装置。
【請求項８】
前記通信設備装置は更に、ＴＡＳ(Telephony Application Server)を有し、
前記ＴＡＳが、前記端末に基づくＶｏＬＴＥ接続要求を受信した際に、前記加入者識別番号を含む認証要求を、前記認証データベースへ送信し、
前記認証データベースが、前記加入者識別番号に応じたモードを含む認証応答を、前記ＴＡＳへ返信し、
前記ＴＡＳは、当該端末について前記モードに応じた間欠受信間隔に基づいて動作する
ことを特徴とする請求項７に記載の通信設備装置。
【請求項９】
通常モード用のＴＡＳは、発呼端末から呼接続要求に対して、着呼端末が省エネモード用である場合、当該発呼端末に対してリングバックトーンとは異なるプレリングバックトーンを送信する
ことを特徴とする請求項８に記載の通信設備装置。
【発明の詳細な説明】
【技術分野】
【０００１】
本発明は、複数のＳＩＭ(Subscriber Identity Module)を搭載した端末及びその通信設備装置の技術に関する。
【背景技術】
【０００２】
近年、スマートフォンの中でも、デュアルＳＩＭ(Dual SIM)対応のものが普及してきている。デュアルＳＩＭには、一方のＳＩＭのみ待ち受け可能な「ＤＳＳＳ(Dual SIM Single Standby)」と、両方のＳＩＭで同時に待ち受け可能な「ＤＳＤＳ(Dual SIM Dual Standby)」とがある。
デュアルＳＩＭ対応のスマートフォンの場合、例えば音声通話定額サービス用のＳＩＭと、データ通信格安サービス用のＳＩＭとを使い分けることができる。また、例えばビジネス契約用のＳＩＭと、プライベート契約用のＳＩＭとを使い分けることもできる。
【０００３】
他の技術として、スマートフォンのバッテリと基地局の消費電力とを軽減する省電力化のために、例えばＬＴＥ(Long Term Evolution)等の無線通信技術について、ＤＲＸ(Discontinuous Reception)と称される技術がある（例えば非特許文献１参照）。この技術は、スマートフォンと基地局との間で、1.28秒の間欠受信間隔で、通信と休止とを繰り返すものである。これによって、スマートフォンと基地局との間で、常時接続することを回避して、消費電力を抑制することができる。
【０００４】
一方で、端末が、通信のリアルタイム性を必要としないＩｏＴ(Internet of Things)デバイスである場合、間欠受信間隔を最大約44分まで設定可能なｅＤＲＸ(extended ＤＲＸ)という技術もある。この場合、間欠受信間隔を非常に長くすることによって、消費電力を抑制することができる。
【先行技術文献】
【非特許文献】
【０００５】
【非特許文献１】「月額40円のインパクト、KDDIが国内初のIoT向けLTEサービス」、[online]、［平成３０年１２月１４日検索］、インターネット＜URL:https://tech.nikkeibp.co.jp/it/atcl/column/14/346926/122001254/＞
【発明の概要】
【発明が解決しようとする課題】
【０００６】
前述したＤＲＸ及びｅＤＲＸのいずれであっても、間欠受信間隔は、スマートフォンと、通信設備装置（例えば基地局を含むＭＭＥ(Mobility Management Entity)）との間では、固定的に設定される。
通常時には、スマートフォンと通信設備装置との間の間欠受信間隔は、できる限り短い方がよい。ユーザにとっては、例えば着呼やメッセージ着信を、リアルタイムに認識することができる。そのために、一般的なスマートフォンにおける間欠受信間隔は、現在、1.28秒という短い時間に固定的に設定されている。
【０００７】
これに対し、大規模災害や通信障害のような非常時には、ユーザや通信事業者としては、スマートフォンや基地局の消費電力をできる限り抑制したいと考える。
即ち、このような非常時に、間欠受信間隔を長くすることができれば、ユーザとしては、スマートフォンのバッテリの消費電力を抑制することができる。通信事業者としても、通信設備装置に集中するトラヒックを、時間的に分散させることができる。
【０００８】
しかしながら、間欠受信間隔は、スマートフォンと通信設備装置との間で固定的に設定されており、それを変更するようなプロトコルシーケンスは規定されていない。勿論、呼び出しタイムアウトの秒数も一律、システム設定値のみとなっている。
【０００９】
そこで、本発明は、複数のＳＩＭを用いて、端末のバッテリの消費電力を抑制し、通信設備装置の省エネモードを実現する端末及びその通信設備装置を提供することを目的とする。
【課題を解決するための手段】
【００１０】
本発明によれば、複数のＳＩＭを搭載した端末において、
ＳＩＭ毎に、異なる間欠受信間隔が設定されることを特徴とする。
【００１１】
本発明の端末における他の実施形態によれば、
通常モード用ＳＩＭと、省エネモード用ＳＩＭとを搭載しており、
各ＳＩＭに記述された加入者識別番号（ＩＭＳＩ）は、異なるものであり、
通常モード用ＳＩＭにおける間欠受信間隔は、ＤＲＸに基づく規格値であり、
省エネモード用ＳＩＭにおける間欠受信間隔は、ｅＤＲＸに基づく規格値であることも好ましい。
【００１２】
本発明の端末における他の実施形態によれば、
ユーザによって選択操作された際、又は、所定条件に応じて自動的に省エネ動作を実行すべき際、省エネモード用ＳＩＭを用いて通信設備装置に接続する
ことも好ましい。
【００１３】
本発明の端末における他の実施形態によれば、
同一端末に搭載される通常モード用ＳＩＭの加入者識別番号と、省エネモード用ＳＩＭの加入者識別番号とは、同一ユーザの契約下で、予め紐付けられたものであり、
一方のＳＩＭが通信設備装置に接続した際に、他方のＳＩＭが通信設備装置から切断されるように排他的に制御されることも好ましい。
【００１４】
本発明によれば、前述した端末と通信する通信設備装置において、
端末から、各ＳＩＭに基づく加入者識別番号を含むパケット接続要求を受信した際に、当該加入者識別番号に応じて登録された間欠受信間隔を含むパケット接続応答を、端末へ返信することを特徴とする。
【００１５】
本発明の通信設備装置における他の実施形態によれば、
通信設備装置は、コアネットワーク装置と、認証データベースとを有し、
認証データベースは、加入者識別番号毎に、通常モード又は省エネモードを登録しており、
コアネットワーク装置は、端末からパケット接続要求を受信した際に、当該加入者識別番号を含む認証要求を、認証データベースへ送信し、
認証データベースは、当該加入者識別番号に応じて登録された間欠受信間隔を含む認証応答を、コアネットワーク装置へ返信し、
コアネットワーク装置は、認証応答に基づく間欠受信間隔を含むパケット接続応答を、端末へ返信すると共に、当該端末との間で当該間欠受信間隔に基づいて動作することも好ましい。
【００１６】
本発明の通信設備装置における他の実施形態によれば、
通信設備装置は更に、ＣＳＣＦ(Call Session Control Function)を有し、
ＣＳＣＦが、端末に基づくＶｏＬＴＥ(Voice over Long Term Evolution)接続要求を受信した際に、認証要求を認証データベースへ送信し、
認証データベースが、加入者識別番号及びモードを含む認証応答を、ＣＳＣＦへ返信し、
ＣＳＣＦは、当該端末について当該モードに応じた間欠受信間隔に基づいて動作する
ことも好ましい。
【００１７】
本発明の通信設備装置における他の実施形態によれば、
通信設備装置は更に、ＴＡＳ(Telephony Application Server)を有し、
ＴＡＳが、端末に基づくＶｏＬＴＥ接続要求を受信した際に、加入者識別番号を含む認証要求を、認証データベースへ送信し、
認証データベースが、加入者識別番号に応じたモードを含む認証応答を、ＴＡＳへ返信し、
ＴＡＳは、当該端末についてモードに応じた間欠受信間隔に基づいて動作する
ことも好ましい。
【００１８】
本発明の通信設備装置における他の実施形態によれば、
通常モード用のＴＡＳは、発呼端末から呼接続要求に対して、着呼端末が省エネモード用である場合、当該発呼端末に対してリングバックトーンとは異なるプレリングバックトーンを送信することも好ましい。
【発明の効果】
【００１９】
本発明の端末及びその通信設備装置によれば、複数のＳＩＭを用いて、端末のバッテリの消費電力を抑制し、通信設備装置の省エネモードを実現することができる。
【図面の簡単な説明】
【００２０】
【図１】本発明における端末の説明図である。
【図２】本発明における通信設備装置の機能構成図である。
【図３】本発明における端末と通信設備装置との間のシーケンス図である。
【図４】省エネモード用のＳＩＭが着信側となった際に、プレリングバックトーンを返信するシーケンス図である。
【発明を実施するための形態】
【００２１】
以下では、本発明の実施の形態について、図面を用いて詳細に説明する。
【００２２】
図１は、本発明における端末の説明図である。
【００２３】
図１（ａ）によれば、端末となるスマートフォン１は、複数のＳＩＭを搭載しており、ＳＩＭ毎に、通信設備装置との間でＶｏＬＴＥ接続が可能となる。
また、各ＳＩＭに記述される加入者識別番号（ＩＭＳＩ(International Mobile Subscriber Identity)）は、異なるものとなる。ＳＩＭ毎に異なる加入者識別番号が付与されている場合、一般に、異なる加入者として認識される。そのために、通信設備装置は、異なるＳＩＭを、同一ユーザの契約下に予め紐付けておく。
【００２４】
3GPP TS 24.239 Flexible Alerting (FA)で規定されている技術によると、代表となる電話番号に対して、異なる端末の異なるＳＩＭに付与された電話番号を、通信設備装置で予め紐づけておくことで、代表となる電話番号に対する着呼や着信を、他方の端末へ転送することができる。
【００２５】
図１（ｂ）によれば、同一のスマートフォン１に搭載されたＳＩＭ毎に、異なる間欠受信間隔が設定されている。具体的には、通常モード用ＳＩＭ１１と、省エネモード用ＳＩＭ１２とに区分される。
【００２６】
通常モード用ＳＩＭ１１は、間欠受信間隔として、ＤＲＸ(extended Discontinuous Reception)に基づく規格値が設定される。ＤＲＸの場合、間欠受信間隔は、例えば1.28秒に設定される。
省エネモード用ＳＩＭ１２は、間欠受信間隔として、ｅＤＲＸ(extended DRX)に基づく規格値が設定される。ｅＤＲＸの場合、間欠受信間隔は、例えば最大約44分まで任意に設定することができる。
【００２７】
スマートフォン１は、ユーザによって選択操作された際、又は、所定条件（例えば非常時）に応じて自動的に省エネ動作を実行すべき際、省エネモード用ＳＩＭ１２に切り替えて、通信設備装置に接続する。
また、一方のＳＩＭが通信設備装置に接続した際に、他方のＳＩＭが通信設備装置から切断されるように排他的に制御される。
【００２８】
図２は、本発明における通信設備装置の機能構成図である。
【００２９】
通信設備装置としては、基地局２と、コアネットワーク装置３と、認証データベース４と、Ｐ−ＣＳＣＦ(Proxy-Call Session Control Function)５１及び５２と、Ｓ−ＣＳＣＦ(Serving-CSCF)６１及び６２と、ＴＡＳ(Telephony Application Server)７１及び７２とを有する。
通常モード用ＳＩＭ１１は、加入者識別番号に応じて、Ｐ−ＣＳＣＦ５１、Ｓ−ＣＳＣＦ６１及びＴＡＳ７１と通信する。この場合、ＴＡＳ７１は、通常モード用として機能する。
一方で、省エネモード用ＳＩＭ１２は、加入者識別番号に応じて、Ｐ−ＣＳＣＦ５２、Ｓ−ＣＳＣＦ６２及びＴＡＳ７２と通信する。この場合、ＴＡＳ７２は、省エネモード用として機能する。
【００３０】
図３は、本発明における端末と通信設備装置との間のシーケンス図である。
【００３１】
（Ｓ３１１）スマートフォン（端末）１は、通常モード用ＳＩＭ１１又は省エネモード用ＳＩＭ１２のいずれか一方から、パケット接続要求を、コアネットワーク装置３へ送信する。
【００３２】
このとき、スマートフォン１は、通常モード用ＳＩＭ１１と、省エネモード用ＳＩＭ１２との同時接続を許容しない。即ち、スマートフォン１は、ＳＩＭのいずれか一方のみを排他的に使用するＤＳＳＳ(Dual SIM Single Standby)として機能する。
【００３３】
また、通常モード用ＳＩＭ１１又は省エネモード用ＳＩＭ１２の一方を取り出して、他のスマートフォンに挿入するような、異なるスマートフォンで使用することも想定していない。通信設備装置は、最新のパケット接続要求を送信してきたＳＩＭのみを許容する。具体的には、一方のＳＩＭからのパケット接続要求時に、他のＳＩＭの接続を切断するように処理する。
【００３４】
（Ｓ３１２）認証データベース４は、加入者識別番号毎に、通常モード又は省エネモードと、各モードに対応する間欠受信間隔とを登録している。
コアネットワーク装置３は、認証データベース４へ、認証要求を送信する。認証要求には、パケット接続要求に基づくＳＩＭの加入者識別番号が含まれる。
これに対し、認証データベース４は、認証応答を、コアネットワーク装置３へ返信する。認証応答には、認証要求に基づく加入者識別番号に応じて登録された間欠受信間隔を含む。
これによって、コアネットワーク装置３は、パケット接続要求に基づくＳＩＭとの間欠受信間隔を設定し、当該スマートフォン１との間で当該間欠受信間隔に基づいて動作する。
【００３５】
（Ｓ３１３）そして、コアネットワーク装置３は、パケット接続応答を、スマートフォン１へ返信する。パケット接続応答には、そのＳＩＭの加入者識別番号に応じた間欠受信間隔を含む。
これによって、スマートフォン１に搭載されたＳＩＭについて、その間欠受信間隔を設定する。
【００３６】
勿論、ＳＩＭ毎に、加入者識別番号に応じて、間欠受信間隔を予め固定的に設定したものであってもよい。その場合、スマートフォン１のＳＩＭは、Ｓ３１３で受信したパケット接続応答の間欠受信間隔が、予め設定された間隔受信間隔と一致することを確認する。
【００３７】
（Ｓ３２１）次に、スマートフォン１は、Ｓ３１３によってパケット接続応答を受信したＳＩＭから、ＶｏＬＴＥ接続要求を、コアネットワーク装置３へ送信する。
【００３８】
（Ｓ３２２）コアネットワーク装置３は、そのＶｏＬＴＥ接続要求を、加入者識別番号に応じたＰ−ＣＳＣＦ５へ転送する。
Ｐ−ＣＳＣＦ５は、そのＶｏＬＴＥ接続要求を、Ｐ−ＣＳＣＦ５に応じたＳ−ＣＳＣＦ６へ転送する。
【００３９】
（Ｓ３２３）Ｓ−ＣＳＣＦ６は、認証データベース４へ、認証要求を送信する。認証要求には、ＶｏＬＴＥ接続要求に基づくＳＩＭの加入者識別番号が含まれる。
これに対し、認証データベース４は、認証応答を、Ｓ−ＣＳＣＦ６へ返信する。認証応答には、認証要求に基づく加入者識別番号に応じて登録されたモード（通常モード又は省エネモード）を含む。
これによって、Ｓ−ＣＳＣＦ６は、スマートフォン１について当該モードに応じた間欠受信間隔に基づいて動作する。
【００４０】
（Ｓ３２４）Ｓ−ＣＳＣＦ６は、ＶｏＬＴＥ接続応答を、Ｐ−ＣＳＣＦ５へ返信する。そのＶｏＬＴＥ接続応答には、ＳＩＭとのモードが含まれており、Ｐ−ＣＳＣＦ５は、ＳＩＭとの間欠受信間隔を認識する。
そして、Ｐ−ＣＳＣＦ５は、そのＶｏＬＴＥ接続応答を、コアネットワーク装置３へ返信する。
【００４１】
（Ｓ３２５）コアネットワーク装置３は、ＶｏＬＴＥ接続応答を、スマートフォン１へ返信する。
【００４２】
（Ｓ３２６）Ｓ−ＣＳＣＦ６は、Ｓ３２４の後、ＶｏＬＴＥ接続要求を、ＴＡＳ７へ送信する。
【００４３】
（Ｓ３２７）ＴＡＳ７は、認証要求を、認証データベース４へ送信する。
これに対し、認証データベース４は、認証応答を、ＴＡＳ７へ返信する。認証応答には、モード（通常モード又は省エネモード）が含まれる。
これによって、ＴＡＳ７は、スマートフォン１に対するモードを認識し、そのモードに応じた間欠受信間隔に基づいて動作する。
【００４４】
（Ｓ３２８）そして、ＴＡＳ７は、ＶｏＬＴＥ接続応答を、Ｓ−ＣＳＣＦ６へ返信する。
【００４５】
図４は、省エネモード用のＳＩＭが着信側となった際に、プレリングバックトーンを返信するシーケンス図である。
【００４６】
（Ｓ４１１）Ｓ−ＣＳＣＦ６１は、発呼側のＳ−ＣＳＣＦから、発呼側のスマートフォンのINVITE（呼接続要求）を受信する。Ｓ−ＣＳＣＦ６１は、スマートフォン１の通常モード用ＳＩＭと通信するものであるとする。
（Ｓ４１２）Ｓ−ＣＳＣＦ６１は、着呼側のスマートフォン１の通常モード用ＳＩＭ１１と接続するものであるので、そのINVITEを、通常モード用のＴＡＳ７１へ転送する。
（Ｓ４１３）これに対し、ＴＡＳ７１は、183 Session Progressを、Ｓ−ＣＳＣＦ６１へ送信する。Ｓ−ＣＳＣＦ６１は、183 Session Progressを、発呼側のＳ−ＣＳＣＦへ転送する。
【００４７】
（Ｓ４１４）その後、Ｓ−ＣＳＣＦ６１は、発呼側のＳ−ＣＳＣＦからUPDATEを受信する。UPDATEとは、発信側ネットワークと着側ネットワークとの間で、音声メディア用ベアラ及びＱｏＳ設定が完了したことを確認するためのものである。
（Ｓ４１５）Ｓ−ＣＳＣＦ６１は、そのUPDATEを、通常モード用のＴＡＳ７１へ転送する。
（Ｓ４１６）これに対し、通常モード用のＴＡＳ７１は、200OKを、Ｓ−ＣＳＣＦ６１へ返信する。
Ｓ−ＣＳＣＦ６１は、その200OKを、発呼側のＳ−ＣＳＣＦへ転送する。
【００４８】
（Ｓ４１７）そして、通常モード用のＴＡＳ７１は、プレリングバックトーンを発呼側へ送信する。これによって、発呼側のスマートフォン１には、プレリングバックトーンが発声される。
【００４９】
プレリングバックトーンとは、通常のリングバックトーンとは異なる音声である。一般的に、ＶｏＬＴＥでは、着呼端末からの180 Responseを契機に、発呼者のスマートフォンには、着呼端末を呼び出しているリングバックトーン（プルルル音）がスピーカから発声されるようなサービス仕様となっている。
【００５０】
しかしながら、着呼端末における省エネモード用ＳＩＭ１２の場合、180 Responseを受信するまでの時間が延びることとなる。即ち、発呼側のユーザにとっては、無音時間が長くなり、呼び出しがなされているのか否か、不安に感じることがと想定される。そのために、Ｓ４１７ではあえて、着呼端末の省エネモード用ＳＩＭ１２から、180 Responseが受信できるまで、プレリングバックトーンを、発呼端末で発声するようにしている。
【００５１】
（Ｓ４２１）Ｓ４１２の時点で、ＴＡＳ７１は、着呼側のスマートフォン１が省エネモード用ＳＩＭ１２でも契約していることを認識している。しかしながら、着呼側のスマートフォン１における省エネモード用ＳＩＭ１１が切断されているのか否かまでは認識していない。そのために、通常モード用のＴＡＳ７１は、省エネモード用のＴＡＳ７２へ、そのINVITEを一度転送する必要がある。勿論、ＴＡＳ７１が、ＴＡＳ７２との間で、着呼側のスマートフォン１の省エネモード用ＳＩＭが切断されていることを知るためのシーケンスが別途に存在すればよい。
そのために、ＴＡＳ７１は、そのINVITEを、省エネモード用ＳＩＭ１２と通信すべきＳ−ＣＳＣＦ６２へ転送するべく、Ｓ−ＣＳＣＦ６１へ転送する。
これに対し、Ｓ−ＣＳＣＦ６１は、そのINVITEを、省エネモード用ＳＩＭ１２が接続するＳ−ＣＳＣＦ６２へ送信する。
【００５２】
（Ｓ４２２）Ｓ−ＣＳＣＦ６２は、そのINVITEを、省エネモード用ＳＩＭ１２が通信するＴＡＳ７２へ転送する。
（Ｓ４２３）ＴＡＳ７２は、そのINVITEを、Ｓ−ＣＳＣＦ６２へ、一度返信する。
（Ｓ４２４）Ｓ−ＣＳＣＦ６２は、そのINVITEを、着呼側のスマートフォン１の省エネモード用ＳＩＭ１２へ転送する。
ＳＩＭ１２へ転送後、一定時間以内に着呼側のスマートフォンからのResponse信号を受信しない場合、呼び出しタイムアウトとなり、「圏外又は電源ＯＦＦ」と判断する。この一定時間の秒数も、ＩＭＳにおけるシステム設定値である。
【００５３】
（Ｓ４２５）これに対し、着呼側のスマートフォン１の省エネモード用ＳＩＭ１２は、そのINVITEに対して、180 Responseを、Ｓ−ＣＳＣＦ６２へ返信する。
（Ｓ４２６）Ｓ−ＣＳＣＦ６２は、その180 Responseを、ＴＡＳ７２へ転送する。
ＴＡＳ７２は、その180 Responseを、Ｓ−ＣＳＣＦ６２へ返信する。
そして、Ｓ−ＣＳＣＦ６２は、その180 Responseを、Ｓ−ＣＳＣＦ６１へ返信する。
【００５４】
尚、180 Responseとは、ユーザの受話操作ではなく、着呼側のスマートフォンが自動応答する信号である。
【００５５】
（Ｓ４２７）Ｓ−ＣＳＣＦ６１は、その180 Responseを、ＴＡＳ７１へ転送する。
（Ｓ４２８）これに対し、ＴＡＳ７１は、発呼側の端末へ送信していたプレリングバックトーンから、通常のリングバックトーンへ、音源を切り替える。そして、ＴＡＳ７１は、リングバックトーンを発呼側へ転送する。
これによって、発呼端末のスピーカからの発声は、プレリングバックトーンから、リングバックトーンに切り替わる。
【００５６】
以上、詳細に説明したように、本発明の端末及びその通信設備装置によれば、通常の間欠受信間隔の通常モード用ＳＩＭを、間欠受信間隔を長く設定した省エネモード用ＳＩＭに切り替えることによって、端末のバッテリの消費電力を抑制し、通信設備装置の省エネモードを実現することができる。
【００５７】
尚、本発明における他の実施形態によれば、省エネモード用ＳＩＭで接続したスマートフォンは、例えば以下のような規制に対応することができる。
（１）特定のＷｅｂサイトのみに対するパケット通信のみを許容する。
（２）広告などの不要不急なトラフィックを規制する。
（３）ＶｏＬＴＥ通話時における、音声パケット送出間隔を強制的に延ばして、パケット数を削減する（データ量の削減するものではない）。
（４）携帯電話事業者としては、デュアルＳＩＭを活用することで、シングルＳＩＭでは提供できなかった付加機能を提供することができる。
【００５８】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００５９】
１  端末、スマートフォン
１１  通常モード用ＳＩＭ
１２  省エネモード用ＳＩＭ
２  基地局
３  コアネットワーク装置
４  認証データベース
５１、５２  Ｐ−ＣＳＣＦ
６１、６２  Ｓ−ＣＳＣＦ
７１、７２  ＴＡＳ
【図１】
2020102781.tif 000003
【図２】
2020102781.tif 000004
【図３】
2020102781.tif 000005
【図４】
2020102781.tif 000006